(57)【要約】基部（１５２）および長く延びた本体部分（１５４）を有する陰茎（１５０）を装着者の体に保持するための陰茎保持用装着具（１０、６０、７０）であって、陰茎（１５０）を受け入れて保持するためのものであり、第１のパネル（１５）と第２のパネル（１７）を、前側パネル（１５）と後ろ側パネル（１７）の間の内部空間（３６）とともに有しているポケット状部材（１４）、陰茎（１５０）の長く延びた本体部分（１５４）を通すためのものであり、ポケット状部材（１４）の前側パネル（１５）に位置している開口（２２）、および、ポケット状部材（１４）を装着者の体に保持するための構成を備えている。
2004536977.tif 000002
【特許請求の範囲】
【請求項１】
基部（１５２）および長く延びた本体部分（１５４）を有する陰茎（１５０）を、装着者の体に保持するための陰茎保持用装着具（１０、６０、７０）であって、
該陰茎保持用装着具（１０、６０、７０）が、
陰茎（１５０）を受け入れて保持するためのポケット状部材（１４）であって、第１のパネル（１５）と第２のパネル（１７）を、前側パネル（１５）と後ろ側パネル（１７）の間の内部空間（３６）とともに有するポケット状部材（１４）、
ポケット状部材（１４）の前側パネル（１５）に位置する開口（２２）であって、陰茎（１５０）の長く延びた本体部分（１５４）を通すためのものであり、陰茎（１５０）が、陰茎保持用装着具（１０、６０、７０）によって、陰茎（１５０）の基部（１５２）が内部空間（３６）内に位置し、陰茎（１５０）の長く延びた本体部分（１５４）が開口（２２）を通って突き出した状態で保持されるようにする開口（２２）、および、
ポケット状部材（１４）を装着者の体に保持するための手段
からなることを特徴とする陰茎保持用装着具（１０、６０、７０）。
【請求項２】
ポケット状部材（１４）を装着者の体に保持するための手段が、
装着者の腰の周りに位置するため前部および後部を備え、該前部にポケット状部材（１４）の上部が接続されているベルト（１２）、および
ポケット状部材（１４）の下部を装着者の股間付近に保持するための手段
からなることを特徴とする請求項１記載の陰茎保持用装着具（１０）。
【請求項３】
ポケット状部材（１４）の下部を装着者の股間付近に保持するための手段が、第１および第２の脚ひも（１６、１８）からなることを特徴とする請求項２記載の陰茎保持用装着具（１０）。
【請求項４】
ポケット状部材（１４）の下部を装着者の股間付近に保持するための手段が、
ポケット状部材（１４）の下部に接続される第１の端部と、
ベルト（１２）の後部に接続される第２の端部とを備えた締め帯（２６）
からなることを特徴とする請求項２記載の陰茎保持用装着具（１０）。
【請求項５】
背中側部材（２８）がベルト（１２）の後部に固定され、締め帯（２６）の第２の端部が背中側部材（２８）に接続されていることを特徴とする請求項４記載の陰茎保持用装着具（１０）。
【請求項６】
背中側部材（２８）に、物品を保持するためのポケット（３０）が設けられていることを特徴とする請求項５記載の陰茎保持用装着具（１０）。
【請求項７】
さらに抑制ストラップ（２４）を備え、該抑制ストラップ（２４）が、陰茎（１５０）の長く延びた本体部分（１５４）を押さえつけておくため、ポケット状部材（１４）の第１のパネル（１５）に取り付けられていることを特徴とする請求項１記載の陰茎保持用装着具（１０）。
【請求項８】
さらに第２の抑制ストラップ（２４）を備え、該第２の抑制ストラップ（２４）が、陰茎（１５０）の長く延びた本体部分（１５４）を押さえつけている抑制ストラップ（２４）を補完するため、ポケット状部材（１４）の前面パネル（１５）に取り付けられていることを特徴とする請求項７記載の陰茎保持用装着具（１０）。
【請求項９】
さらにポケット状部材（１４）の第２のパネル（１７）に第２の開口（３４）を有し、これにより第２の陰茎（２００）が、本体部分（２０４）が開口（２２）から突き出している陰茎（１５０）とほぼ反対向きにポケット状部材（１４）から延びた状態で、陰茎保持用装着具（１０、６０、７０）によって保持されることを特徴とする請求項１記載の陰茎保持用装着具（１０、６０、７０）。
【請求項１０】
さらに弾力性のある材料からなる平らなリング（２３）を備え、該リング（２３）が、第２の開口（３４）の周縁に取り付けられていることを特徴とする請求項９記載の陰茎保持用装着具（１０、６０、７０）。
【請求項１１】
さらに、開口（２２）と組み合わされるリング（３１）、および該リング（３１）を開口（２２）に保持するための手段（２１）を有することを特徴とする請求項１記載の陰茎保持用装着具（１０、６０、７０）。
【請求項１２】
さらにベルト（１２）の周長を調節するための手段を有し、該手段が、
ベルト（１２）の外表面に配置されたフック状または環状の素材（３２）、
ベルト（１２）に接続された調節タブ（３８、４４）、および、
ベルト（１２）上に配置されたフック状または環状の素材（３２）と係合するために調節タブ（３８、４４）の内表面に配置された環状またはフック状の素材（３２）
からなることを特徴とする請求項２記載の陰茎保持用装着具（１０）。
【請求項１３】
第１のパネル（１５）および第２のパネル（１７）が、柔軟性のある材料から形成されていることを特徴とする請求項１記載の陰茎保持用装着具（１０、６０、７０）。
【請求項１４】
第１のパネル（１５）および第２のパネル（１７）が、弾性伸縮可能材料から形成され、開口（２２）が、様々な直径および構造の陰茎（１５０）に対応するため、弾性的に拡がることができることを特徴とする請求項１３記載の陰茎保持用装着具（１０、６０、７０）。
【請求項１５】
第１のパネル（１５）が、第１のパネル（１５）の外側表面を形成するための、所定の厚さを有する２枚重ねの弾性伸縮可能材料、および、第１のパネル（１５）の内側表面を形成するための、より厚さの厚い２枚重ねの弾性伸縮可能材料から形成され、第２のパネル（１７）が、２枚重ねの弾性伸縮可能材料から形成されていることを特徴とする請求項１４記載の陰茎保持用装着具（１０、６０、７０）。
【請求項１６】
陰茎（１５０）の長く延びた本体部分（１５４）を内部空間（３６）内から開口（２２）に差し込むことができるよう、陰茎（１５０）をポケット状部材（１４）の内部空間（３６）へと挿入できるようにするための手段をさらに備えることを特徴とする請求項１記載の陰茎保持用装着具（１０、６０、７０）。
【請求項１７】
陰茎（１５０）をポケット状部材（１４）の内部空間（３６）へと挿入できるようにするための手段が、ポケット状部材（１４）の開口端（２０）であることを特徴とする請求項１６記載の陰茎保持用装着具（１０、６０、７０）。
【請求項１８】
陰茎（１５０）をポケット状部材（１４）の内部空間（３６）へと挿入できるようにするための手段が、開口（２２）とほぼ向かい合うように第２のパネル（１７）に設けられたフラップ（４２）からなることを特徴とする請求項１７記載の陰茎保持用装着具（１０、６０、７０）。
【請求項１９】
フラップ（４２）が、フラップ（４２）を形成すべく重なり合う第１および第２のフラップ・パネル（１７Ａ、１７Ｂ）によって構成され、第１および第２のフラップ・パネル（１７Ａ、１７Ｂ）をめくり返すことにより、開口（２２）に容易にアクセスできることを特徴とする請求項１８記載の陰茎保持用装着具（１０、６０、７０）。
【請求項２０】
第１および第２のパネル（１７Ａ、１７Ｂ）を閉じた状態に保つため、第１および第２のパネル（１７Ａ、１７Ｂ）上に配置されるフックと環との組み合わせをさらに有する請求項１９記載の陰茎保持用装着具（１０、６０、７０）。
【請求項２１】
ポケット状部材（１４）を装着者の体に保持するための手段が、下着のブリーフの構成からなることを特徴とする請求項１記載の陰茎保持用装着具（１０）。
【請求項２２】
ポケット状部材（１４）を装着者の体に保持するための手段が、装着者の手に装着するため、複数本の指（２２）を備える手袋状の本体部分（１１）からなることを特徴とする請求項１記載の陰茎保持用装着具（６０）。
【請求項２３】
ポケット状部材（１４）を装着者の体に保持するための手段が、装着者の体の或る一部分に巻きつけるため、帯状に延びた本体部分（７４）からなることを特徴とする請求項１記載の陰茎保持用装着具（７０）。
【発明の詳細な説明】
【技術分野】
【０００１】
本発明は、一般的に装着具に関する。さらに詳しく言えば、人工装具の陰茎を装着者の体に保持するための装着具が、本特許で開示され、本特許で保護される。
【背景技術】
【０００２】
この研究分野に精通した者は、陰茎を装着者の体に保持または支持するための装着具として機能する多数の構造および物品が、従来技術に開示されていることを十分承知している。いくつかの装着具は、人工装具の陰茎を装着者の股間付近に、勃起または半勃起した陰茎を模擬して保持するように設計されている。これらの装着具を、装着具によって保持される陰茎とともに女性が装着することもでき、男根を有しているかのような感覚を提供し、性的行為を行うことを可能にする。このような装着具のいくつかは、勃起障害を有する男性、より大きい陰茎を望む男性、あるいは単に人工装具の陰茎を着けてみたい男性などが装着することもできる。
【０００３】
残念なことに、従来技術の装着具は多くの制約および欠点をかかえている。例えば、現在市販されている装着具を見ると、それらの大抵が柔軟性のない股のような形状の板で構成されており、同じく柔軟性のないベルトで装着者に取り付けられていることが明らかであろう。その結果、このような従来技術の装着具は、装着者にとって不快で拘束を感じさせるものとなりがちである。さらに、これらの装着具は、通常は各装着具のために特別に設計された陰茎を保持するが、保持する陰茎の手前側の端部が装着者の体に直接接触するという理由でも、不快なものとなりがちである。
【０００４】
従来技術のかかえる前記およびその他の欠点に鑑み、装着者にとって快適であって、従来技術に比べ多くの有利な効果を得ることができる陰茎保持用装着具に対するニーズが、この技術分野に存在することは明らかである。
【発明の開示】
【発明が解決しようとする課題】
【０００５】
好都合なことに、本発明は、従来技術に見られる欠点を克服した陰茎保持用装着具を提供するという基本目的のもとになされたものであり、加えて、これまで実現されることのなかった数々の効果をもたらすものである。
【０００６】
さらに詳しくは、本発明の第１の目的は、ユーザが陰茎を快適かつ効果的なやり方で着けておくことができる陰茎保持用装着具を提供することにある。
【０００７】
本発明のさらに他の目的は、必要に応じ、装着者が陰茎を、装着者の衣服の下に気づかれないように着けておくことのできる陰茎保持用装着具を提供することにある。
【０００８】
本発明のさらに別の目的は、陰茎を、簡単かつ便利なやり方で陰茎保持用装着具から取り外し、交換することのできる陰茎保持用装着具を提供することにある。
【０００９】
本発明の特定の実施の形態に関連するまた別の目的は、第２の陰茎を、装着者の体に向けて内向きに保持することのできる陰茎保持用装着具を提供することにある。
【００１０】
本発明の或る実施の形態に関連するさらにまた別の目的は、陰茎を、装着者の手あるいは装着者の体の或る一部位の近傍に保持することのできる陰茎保持用装着具を提供することにある。
【００１１】
本発明のこれらの、そしてさらに他の目的および利点は、本明細書および図面を精読した者はもちろん、本発明の実施の形態が実際に使用されている場面を見る機会を得た者であれば容易に理解できるだろう。
【課題を解決するための手段】
【００１２】
これらの目的を達成するにあたり、本発明の一実施の形態は、陰茎を装着者に着けておくための陰茎保持用装着具からなることが必須である。陰茎保持用装着具は、陰茎を受け入れて保持するためのポケット状部材、および陰茎の長く延びた本体部分を通すためにポケット状部材の前面パネルに設けられた開口を有する。この構成によれば、陰茎は、陰茎の基部がポケット状部材の内部空間内に配置され、陰茎の長く延びた本体部分が開口から突き出した状態で、陰茎保持用装着具によって保持される。
【００１３】
ポケット状部材を装着者の体に保持するための手段として、様々な形式が可能である。例えば、前部および後部を有するベルトとし、装着者の腰の周りに位置させることができる。そのような実施の形態では、ポケット状部材の上部をベルトの前部に接続することができ、ポケット状部材の下部を装着者の股間付近に保持するため、脚ひもや締め帯などの手段を設けることができる。コンドームなどの物品を保持するため、ベルトの後部付近にポケットを設けることもできる。あるいは代案として、ポケット状部材を保持するための手段が、下着のブリーフのような部材からなっていてもよい。さらに、いくつかの実施の形態では、ポケット状部材を保持するための手段が、手袋状の本体部分からなっていてもよく、あるいは帯状の本体部分からなっていてもよい。
【００１４】
陰茎の長く延びた本体部分を押さえつけておくため、抑制ストラップおよび場合によっては第２の抑制ストラップを、ポケット状部材の第１の、または前側のパネルに取り付けることができる。そのように陰茎を押さえつけると、必要に応じ陰茎保持用装着具および陰茎を、装着者の衣服の下にほとんど気づかれないように装着することができる。
【００１５】
いくつかの実施の形態では、ポケット状部材の第２のパネルに第２の開口を備えることができる。第２の開口を設けると、陰茎保持用装着具によって第２の陰茎を、本体部分がポケット状部材から装着者の体へ、あるいは装着者の体内へと延びた状態で保持することができる。場合により、弾性材料からなる平らなリングを第２の開口の周縁に取り付けることができ、リングを第１の開口に組み合わせて備えることもできる。
【００１６】
ベルトを用いる装着具の或るいくつかの実施の形態は、ベルトの周長を調節するための手段を備えることができる。そのような手段は、ベルトの外表面に配置されたフック状または環状の素材、ベルトに接続された調節タブ、およびベルト上に配置されたフック状または環状の素材と係合するよう調節タブの内表面に配置された環状またはフック状の素材からなる形式とすることができる。
【００１７】
いずれの場合も、第１および第２のパネルは柔軟な材料から形成されると好ましく、弾性的に伸びることのできる材料から形成されると理想的である。また、様々な直径および形状の陰茎に対応できるよう、開口が弾性的に拡がることができると好ましい。最も好ましい実施の形態では、第１のパネルは、第１のパネルの外側表面を形成するための所定の厚さを有する２枚重ねの弾性伸縮可能材料、および、第１のパネルの内側表面を形成するためのより厚さの厚い２枚重ねの弾性伸縮可能材料から形成される。第２のパネルは、２枚重ねの弾性伸縮可能材料から形成することができる。
【００１８】
陰茎の長く延びた本体部分をポケット状部材の内部空間内から開口に差し込むことができるよう、陰茎をポケット状部材の内部空間へと挿入できるようにするための手段は、単なるポケット状部材の開口端でよい。また代わりに、第２のパネルに開口とほぼ向き合うようにフラップを配置してもよい。フラップは、フラップを形成するように重なり合う第１および第２のフラップ・パネルによって形成でき、第１および第２のフラップ・パネルをめくり返すことにより、開口に容易にアクセスすることができる。第１および第２のパネルを閉じた状態に保つため、第１および第２のパネル上に、フックと環との組み合わせを設けることができる。
【００１９】
ご承知のとおり、以上の説明は、以下に続く詳細な説明をよりよく理解し、本発明者のこの技術分野への貢献をより正しく認識していただけるよう、本発明の比較的重要ないくつかの特徴について、大まかに概要を説明したものである。本発明の実施の形態を詳細に説明する前に、以下に続く構造の詳説、形状の説明、および本発明の概念の解説が、本発明の考えうる多数の具体化のうちの単にいくつかの例にすぎないことを明記しておく。
【発明を実施するための最良の形態】
【００２０】
他の多くの発明の場合と同様、陰茎保持用装着具に関する本発明にも、様々な種類の実施の形態がありうる。しかしながら、当業者が本発明を完全に理解し、しかるべき場合に実施をすることができるよう、本出願で明らかにされる幅広い本発明のうち、或るいくつかの好ましい実施の形態のみを以下に説明し、添付の図面に示す。
【００２１】
特に図面を参照すると、陰茎保持用装着具に関する本発明の第１の好ましい実施の形態が、図１〜３に参照符号１０で広く示されている。これらの図面において、陰茎保持用装着具１０は、股のような形状の装着具であると考えることができ、図３に参照符号１５０で示されている陰茎を、ユーザの股間付近に保持するように設計されている。正面図である図１において、陰茎保持用装着具１０の基本が、人工陰茎または陰茎１５０の手前側の基部１５２を受け入れて保持するポケット状部材１４であることを見て取れる。この実施の形態では、図３に示すように、ポケット状部材１４が、内側あるいは後ろ側のパネル１５と外側あるいは前側のパネル１７を有しており、柔らかくかつ洗濯可能な材料で形成されているため、装着者の体に快適に取り付けることができる。
【００２２】
好ましい実施の形態において、ポケット状部材１４は、好ましくは合成繊維からなる弾性伸縮可能材料の接合層によって形成することができる。適した合成繊維としては、ライクラ（ＬＹＣＲＡ）（デラウェア州ウィルミントンのイー・アイ・デュポン・ドゥ・ヌムール・アンド・カンパニー（Ｅ．Ｉ．ＤｕＰｏｎｔ  ｄｅ  Ｎｅｍｏｕｒｓ  ａｎｄ  Ｃｏｍｐａｎｙ）が製造する合成繊維）、ダーレックス（ＤＡＲＬＥＸＸ）（ニューヨーク州ニューヨークのダーリントン・ファブリクス・コーポレーション（Ｄａｒｌｉｎｇｔｏｎ  Ｆａｂｒｉｃｓ  Ｃｏｒｐｏｒａｔｉｏｎ）が製造する弾性繊維）、ネオプレン（ＮＥＯＰＲＥＮＥ）、およびその他の適当な材料、あるいはこれらの混合物がある。ポケット状部材１４の前側パネルおよび後ろ側パネル１７はそれぞれ、１層の、たった１片の材料から形成することができる。しかしながら、好ましい実施の形態では、前側パネル１５を、前側パネル１５の外側表面を形成するための所定の厚さの２枚重ねの弾性伸縮可能材料、および、前側パネル１５の内側表面を形成するためのより厚さの厚い２枚重ねの弾性伸縮可能材料から形成することにより、陰茎１５０のために最も優れた機能および支持が実現されている。このような場合には、後ろ側パネル１７を、２枚重ねの弾性伸縮可能材料で形成することができる。
【００２３】
ポケット状部材１４の上端は、縫製あるいはその他の適当な手段で、ベルト１２に固定される。ポケット状部材１４の下端は、縫製あるいはその他の適当な手段で、紐帯／締め帯２６の手前側の端部に固定される。紐帯／締め帯２６の遠方端は、背中側の部材２８に調節可能に接続することができ、背中側部材２８が、ベルト１２の後部に固定されている。背中側部材２８が、例えばコンドーム１００を保持するために用いる小さなポケット３０を形成すると好都合である。図２に最もよく示されているように、紐帯／締め帯２６は、紐帯／締め帯２６の有効長さ、すなわち陰茎保持用装着具１０の有効寸法を調節するための手段を組み込んでいる。ここでは、調節手段は、ベルト係止機構２７と組み合わされるハトメ２５からなっている。
【００２４】
図２に示されているように、紐帯／締め帯２６を第１および第２の脚ひも１６、１８で補助することができ、紐帯／締め帯２６を第１および第２の脚ひも１６、１８で置き換えることもできる。この実施の形態では、第１および第２の脚ひも１６、１８はそれぞれ、縫製やその他の適当な方法で、手前側の端部がポケット状部材１４の下端に取り付けられている。脚ひも１６、１８の遠方端はそれぞれ、ベルト１２の後部に取り付けられている。
【００２５】
脚ひも１６、１８を備えるこのような構成においては、ユーザは、自分の足を脚ひも１６、１８に通し、装着具１０を自分の股間付近の位置へと滑らせることにより、装着具１０を着用することができる。紐帯／締め帯２６が追加されている場合や、代わりに用いられている場合には、ユーザは、ベルト１２を自分の腰の周りの適切かつ快適な位置まで滑らせ、その後紐帯／締め帯２６を適当な位置で留めることにより、装着具１０を着用することができる。このようにして、装着具１０は、所定の位置にぴったりと、かつ快適に保持される。
【００２６】
装着具１０の装着具合を、さらにベルト１２の周長を調節する手段によって調整できるようにすると好都合である。当然ながら、調節手段として様々な種類の実施の形態が考えられる。この代表的な実施の形態では、調節手段は、ベルト１２の背部に配置されたフック状または環状の素材３２からなり、環状またはフック状の素材３２が配置された第１および第２の調節タブ３８、４４と組み合わされる。これにより、調節タブ３８、４４の一方あるいは両方の位置をベルト１２の後部に対して調節することによって、装着具１０を、各装着者の様々な胴回りに合うよう容易に調整することができる。
【００２７】
再び図１を参照すると、陰茎１５０を通せるようにするため、ポケット状部材１４の外壁に第１の開口２２が設けられていることが見て取れる。第１の開口２２の周囲は、様々な直径および構成の陰茎１５０に対応するため、弾性的に拡がることができると好都合である。さらに図１によれば、抑制または抑止ストラップ２４が、ポケット状部材１４の前面パネル１５の外側表面に、縫製またはその他の適当な手段で取り付けられている。この実施の形態では、抑制ストラップ２４は、第１の開口２２のまっすぐ下に配置されている。抑制ストラップ２４は、弾性的に伸びることが可能な材料で形成するのが好ましい。その名前から想像されるとおり、抑制ストラップ２４は、陰茎１５０の長く延びた本体部分１５４を押さえつけるために用いることができる。これは、装着者が衣服の下に装着具１０を装着しようとする場合、あるいは、装着者がだらんとした陰茎の外観や感触を模擬しようとする場合に有用である。
【００２８】
このような構成によれば、図３に示したような陰茎１５０を、ユーザにとって快適であるように、装着具１０で受け入れて保持することができる。図３に示す陰茎１５０は、基部１５２および長く延びた本体部分１５４を有している。通常、このような陰茎１５０は、型を用いた成形などにより、柔らかいゴムなどの材料からなる１つの部品として作られる。また、ポケット状部材１４は、上部開口２０を有している。したがって、陰茎１５０をポケット状部材１４内に入れるために、ユーザは、陰茎１５０の長く延びた本体部分１５４を、上部開口２０を通ってポケット状部材１４の開放されている内部空間３６内に挿入し、その後、長く延びた部分を第１の開口２２に通し、陰茎１５０の基部１５２がポケット状部材１４の前面パネル１５の内表面に当接するまで押し出すだけでよい。
【００２９】
さらに図３および１４に示すように、ポケット状部材１４の内側パネル１７に第２の開口３４を設けることもできる。第２の開口３４は、ポケット状部材１４から内側に向かって突き出す第２の陰茎２００を受け入れ、保持するために用いることができる。そのように配置されたとき、第２の陰茎２００は装着者の性器と接触し、あるいは装着者の性器の中に収容される。図３に示すとおり、第２の陰茎２００は基部２０２を有し、基部２０２は突出部２０４に固定されている。この代表的な実施の形態では、突出部２０４は栓の形状をしている。第２の開口３４への第２の陰茎２００の挿入および取り外しを容易にするため、ポケット状部材１４の外側パネル１５に、第２の開口３４の位置にあわせてフラップ４５を設けることができる。さらに、図１４に示すとおり、第２の陰茎２００をしっかりと保持するため、平らな弾性リング２３を第２の開口３４の周縁に取り付けることもできる。
【００３０】
図４に、陰茎保持用装着具１０の正面図が示されており、陰茎保持用装着具１０が、ポケット状部材１４内に配置された陰茎１５０の基部１５２とそこから延びる陰茎１５０の本体部分１５２とを有する陰茎１５０を保持している。例えば陰茎１５０および陰茎保持用装着具１０をユーザの衣服の下に着用するときなど、陰茎１５０の長く延びた本体部分１５４は、図示のとおり抑制ストラップ２４によってポケット状部材１４の近傍に抑止される。図４では使用されていないが、この実施の形態の陰茎保持用装着具１０は、必要や要望に応じて陰茎１０の途中の部分を抑止するため、さらに追加の抑制ストラップ３５を備えている。
【００３１】
もちろん、ポケット状部材１４の寸法は、本発明の技術的範囲を外れることなく、様々に変化させることができる。この好ましい実施の形態では、開口２２は約１．５インチの直径を有する。開口２２の上端は、ポケット状部材１４の上端から約１．５インチ離れていると好ましい。抑制ストラップ２４は、陰茎１５０を受け入れるための、差し渡しが約１．５インチの湾曲して隙間になっている中央部分、および差し渡しが約０．７５インチの固定された両端部分を有することができる。
【００３２】
図１５に、開口２２の別の構成を示す。そこでは、性的行為をより良いものとするため、開口２２がリング３１で縁取られている。リング３１は、複数本のストラップ２１によって、取り外しおよび交換ができるように取り付けられている。ストラップ２１はそれぞれ、開口２２の内側に固定された第１の端部と、ストラップ２１とリング３１を所定の位置に固定するための留め金１９を備えた第２の端部を有する。リング３１とストラップ２１の組み合わせは、ユーザが男性であり、自分自身の陰茎（図示せず）をフラップ４２を通し、開口２２を通して出す場合に、特に有用である。フラップ４２については、後でより充分に説明する。
【００３３】
図５および６に目を向けると、股のような形状の陰茎保持用装着具１０の別の実施の形態が見て取れる。ここでも、陰茎保持用装着具１０の基本は、上端がベルト１２の前部に接続されたポケット状部材１４である。ベルト１２は、ベルト１２の後部全体の外側表面に沿って配置された１本のフック状または環状の素材３２と、ベルト１２から延びた第１および第２の調節タブ３８、４４とを備え、第１および第２の調節タブ３８、４４の内側に、環状またはフック状の素材３２が配置されている。これにより、ベルト１２の有効周長を容易に調節することができる。
【００３４】
背中側の部材２８は、ここでもコンドームやその他の品物を保持するため、ポケット３０を有しており、ここでもベルト１２の後部に接続されている。この実施の形態では、紐帯／締め帯２６が背中側部材２８から延びており、複数の穴２５が長手方向に並んで設けられている。複数の穴２５を介して紐帯／締め帯２６と係合し固定するため、係止機構４０が、ポケット状部材１４の下端に取り付けられており、これにより、陰茎保持用装着具の有効サイズをさらに調節することができる。陰茎を押さえつけておくため、ここでも抑制ストラップ２４が設けられている。
【００３５】
この実施の形態は、第１および第２の脚ひも１６、１８を備えていない点で、すでに説明した実施の形態と異なっている。さらに、ポケット状部材１４の上端が、陰茎をポケット状部材１４内に挿入できるように開いてはいない。代わりに、ポケット状部材１４の後ろ側パネルを、フラップ４２を作るべく重なり合う第１および第２のフラップ・パネル１７Ａ、１７Ｂとして形成することにより、陰茎の挿入が可能とされている。この構成によれば、図８に他の実施の形態に関連して示されているとおり、開口を作るべく第１および／または第２のフラップ・パネル１７Ａ、１７Ｂをめくり返すことにより、ポケット状部材１４の開放されている内部空間３６に容易にアクセスすることができる。
【００３６】
第１および／または第２のフラップ・パネル１７Ａおよび／または１７Ｂをそのようにめくり返すと、陰茎１５０の長く延びた本体部分１５４を、陰茎１５０の基部１５２が開放されている内部空間３６内に完全に入るまで、容易に開口２２に通すことができる。そうしたのち、第１および／または第２のフラップ・パネル１７Ａおよび／または１７Ｂを閉じることができ、陰茎保持用装着具１０を着用して用いることができる。もし必要であるならば、あるいは要望があれば、第１および第２のパネル１７Ａおよび１７Ｂを閉じた状態に保つため、フック状および環状の素材（図示せず）を用いることもできる。
【００３７】
図７および８に、陰茎保持用装着具１０の他の実施の形態を示すが、これもまた、陰茎をユーザの股間付近に保持するように設計されている。この実施の形態では、背中側部材２８および紐帯／締め帯２６が除かれており、代わりに第１および第２の脚ひも１６および１８が用いられている。第１および第２の脚ひも１６および１８のそれぞれは、ベルト１２の前部の外表面に固定された第１の端部、およびポケット状部材１４の前側パネル１５の下方の外表面に固定された第２の端部を有する。第１および第２の脚ひも１６および１８には、伸縮性を持たせると好ましい。図８に示されているとおり、第１および第２のフラップ・パネル１７Ａおよび１７Ｂを開くことにより、ポケット状部材１４の開放された内部空間３６および前側パネル１５の開口２２にアクセスでき、陰茎１５０の挿入および取り外しを容易に行うことができる。
【００３８】
図９に、さらに別の股のような形状の陰茎保持用装着具１０を示すが、この実施の形態では、陰茎保持用装着具１０は、一着の下着のブリーフの形式をとる。ここでも、陰茎保持用装着具１０はベルト１２を備え、ベルト１２は、ベルト１２の周長を調節するための第１および第２の調節タブ３８および４４を有している。しかしながら、脚ひも１６、１８、背中側部材２８および紐帯／締め帯２６は、第１および第２の脚挿入口４８および５０を備え体にぴったり合うブリーフ状部材４６に取って代わられ、なくなっている。ポケット状部材１４は、ブリーフ状部材４６の中央に配置されており、前記と同様、外側パネル１５と、ポケット状部材１４の内部空間３６を開放しアクセス可能にするための第１および第２の内部フラップ・パネル１７Ａおよび１７Ｂとを備えている。ここでも、ユーザは、ポケット状部材１４によって保持されている陰茎１５０を、抑制ストラップ２４で押さえつけておくことができる。
【００３９】
図１０および１１に、陰茎保持用装着具のさらなる実施の形態を示すが、参照符号６０で広く示されているこの陰茎保持用装着具は、手に保持して使用されるよう手袋の形態である。したがって、陰茎保持用装着具６０は、先端が切断してある指部６２を複数備えた本体部分１１を有している。ポケット状部材１４が、陰茎保持用装着具６０の手のひら部分を構成するのが必須である。ポケット状部材１４は、陰茎１５０の長く延びた本体部分１５４を通すことができるよう、開口２２を有している。図１１に最もわかりやすく示されているが、第１および第２のフラップ・パネル１７Ａおよび１７Ｂにより、ポケット状部材１４の開放された内部空間３６にアクセスすることが可能である。第１および第２のフラップ・パネル１７Ａおよび１７Ｂを閉じた状態に保つことができるよう、第１のフラップ・パネル１７Ａ上にフック状の素材の細片５４が配置され、一方、第２のフラップ・パネル１７Ｂ上には環状の素材の細片５６が配置される。同様に、陰茎保持用装着具６０の手首の寸法を調節できるよう、フック状の素材の細片５８をフラップ６１上に配置し、環状の素材の細片５９を陰茎保持用装着具６０の手首部分に配置することもできる。
【００４０】
陰茎保持用装着具６０は、ポケット状部材１４のみを閉じるため内側に位置する一対のフラップ・パネル１７Ａおよび１７Ｂと、手袋形式の陰茎保持用装着具６０全体の背中側を閉じるため外側に位置する一対のフラップ・パネル１７Ａおよび１７Ｂとを備えることもできる。この構成によれば、ポケット状部材１４の開放された内部空間３６が、陰茎保持用装着具６０の主たる開放された内部空間３７と分離され、陰茎１５０の基部１５２の全体が開放された内部空間３６内に保持され、ユーザの手は主たる開放された内部空間３７内に保持される。代案として、陰茎保持用装着具６０を、外側に位置する一対のフラップ・パネル１７Ａ、１７Ｂだけを備えるようにでき、その場合、ユーザの手と陰茎１５０の基部１５２は、同じ開放された内部空間３６を共有することになる。
【００４１】
図１２および１３に、陰茎保持用装着具のさらにまた別の実施の形態を示すが、今度は、陰茎保持用装着具は装着者の体の或る部分に巻きつける帯の形態であり、参照符号７０で示されている。陰茎保持用装着具７０は、所定の長さおよび幅を有する長く延びた本体部分７４を備えている。長く延びた本体部分７４の第１の端部の付近において、陰茎保持用装着具１０の上側パネル７５と考えることのできる部位に、環状またはフック状の素材の細片７２が１つまたは２つ以上、この場合は３つ配置されている。図１３に示すように、長く延びた本体部分７４の第２の端部の付近において、陰茎保持用装着具７０の下側パネル７３と考えることのできる部位に、フック状または環状の素材の細片７９が配置されている。ポケット１４は長く延びた本体部分７４の中央に位置するが、このポケット１４の形成に上側パネル７５の一部が役立てられており、ポケット１４には開口２４が設けられている。第１および第２のフラップ・パネル７７Ａおよび７７Ｂの協同により、フラップ４２が形成されている。第１および第２のフラップ・パネル７７Ａおよび７７Ｂをめくり返したとき、陰茎保持用装着具７０の下側から開口２２にアクセスできるようになり、ユーザが、陰茎１５０の長く延びた本体部分１５４を、陰茎１５０の基部１５２が第１および第２のフラップ・パネル７７Ａおよび７７Ｂの向こうへ完全に入ってしまうまで、挿入できるようになる。第１および第２のフラップ・パネル７７Ａおよび７７Ｂに、これらを閉じた状態に保つため、フック状および環状の細片８１、８３が設けられている。
【００４２】
当然ながら、陰茎保持用装着具７０およびその構成部品は、事実上あらゆる寸法で、事実上あらゆる適当な材料から形成することができる。この代表的な実施の形態では、陰茎保持用装着具７０の長く延びた本体部分７４は、概略２１．５インチの全長と、約５．５インチの全幅を有している。環状またはフック状の素材からなる３つの細片７２は、陰茎保持用装着具７０のほぼ全幅にわたっており、それら自身の幅は２インチであるので、陰茎指示用保持具７０に沿った全体の長さは６インチになる。開口２２は、直径が約１．５インチであると好ましく、その中心が、長く延びた本体部分７４の縦方向の中央にあり、長く延びた本体部分７４の第１の端部から約８．７５インチの位置にあると好ましい。このような構成によれば、陰茎１５０を完全に保持した陰茎保持用装着具７０を、例えば太ももなど、装着者の体の或る部分を巻くように配置し、ユーザの望むとおりに使用することができる。
【００４３】
以上、本発明をいくつかの好ましい実施の形態に関して開示し説明したが、これら実施の形態が、ここで明らかとなった幅広い本発明の単なる代表例にすぎないことは明白であろう。実際、当業者であれば、別の実施の形態に容易に想到できるであろう。例えば、本発明の主要な特徴を頭においた者であれば、これら主要な特徴を用いているが、好ましい実施の形態の備える全ての特徴を用いてはいない実施の形態を、いくつか作り出すことができる。したがって、以下に続く特許請求の範囲が、本発明の発明者に与えられる保護の範囲を定めるためのものである。これら特許請求の範囲は、本発明の精神および技術的範囲を外れない限りにおいて、同等の構成をも含むものと考えるべきである。
【００４４】
さらに、以下に続く特許請求の範囲のいくつかにおいて、或る構成要件を、時には構造や材料に言及することなく、特定の機能を実行するための手段として表現するかもしれない。法が求めるとおり、これら特許請求の範囲は、この明細書に明記された特定の構造および材料のみならず、これらの同等物をも包含するものと解釈されるべきである。
【図面の簡単な説明】
【００４５】
【図１】本発明による陰茎保持用装着具の正面図である。
【図２】図１の陰茎保持用装着具の背面図である。
【図３】図１の線３−３における陰茎保持用装着具の断面図である。
【図４】陰茎を保持している陰茎保持用装着具の正面図である。
【図５】陰茎保持用装着具の他の実施の形態の正面図である。
【図６】図５の陰茎保持用装着具の背面図である。
【図７】陰茎保持用装着具の別の実施の形態の正面図である。
【図８】図７の陰茎保持用装着具の背面図である。
【図９】陰茎保持用装着具のさらに別の実施の形態の正面図である。
【図１０】手袋形状の陰茎保持用装着具の一実施の形態の底面図である。
【図１１】図１０の手袋状陰茎保持用装着具の平面図である。
【図１２】帯状の陰茎保持用装着具の一実施の形態の平面図である。
【図１３】図１２の帯状陰茎保持用装着具の底面図である。
【図１４】ポケット状部材の他の例を示した正面図である。
【図１５】他の開口部構成を示した正面図である。
【国際公開パンフレット】
2004536977.tif 000003
2004536977.tif 000004
2004536977.tif 000005
2004536977.tif 000006
2004536977.tif 000007
2004536977.tif 000008
2004536977.tif 000009
2004536977.tif 000010
2004536977.tif 000011
2004536977.tif 000012
2004536977.tif 000013
2004536977.tif 000014
2004536977.tif 000015
2004536977.tif 000016
2004536977.tif 000017
2004536977.tif 000018
2004536977.tif 000019
2004536977.tif 000020
2004536977.tif 000021
2004536977.tif 000022
2004536977.tif 000023
2004536977.tif 000024
2004536977.tif 000025
2004536977.tif 000026
2004536977.tif 000027
2004536977.tif 000028
2004536977.tif 000029
2004536977.tif 000030
2004536977.tif 000031
2004536977.tif 000032
2004536977.tif 000033
2004536977.tif 000034
2004536977.tif 000035
2004536977.tif 000036
【国際公開パンフレット（コレクトバージョン）】
2004536977.tif 000037
2004536977.tif 000038
【国際調査報告】
2004536977.tif 000039